(57)【要約】【課題】ハイポジションでの演奏性、および意匠性を高めることのできるアコースティックギターを提供すること。【解決手段】アコースティックギター１において、側板２３には、棹本体部４１の延在方向に向けて開口する切り欠き２３０が形成されている。共鳴胴２の内側には、側板２３において切り欠き２３０の両側に位置する第１縁２３１および第２縁２３２のうち、少なくとも第１縁２３１より内側に引っ込んだ位置で棹４の連結部４２の共鳴胴２側に向く端面４４を受ける受け面６２を備えた連結用の補強部材６が固定されている。補強部材６の受け面６２には第１ほぞ穴６３および第２ほぞ穴６４が形成され、連結部４２の端面４４には、第１ほぞ穴６３および第２ほぞ穴６４に嵌る第１ほぞ４５および第２ほぞ４６が形成されている。共鳴胴２と棹４とは、補強部材６と連結部４２を固定する接着剤によって固定されている。【選択図】図３
2015092211.tif 000002
【特許請求の範囲】
【請求項１】
開口部が形成された表甲、該表甲に裏側で対向する裏甲、および前記表甲と前記裏甲との間を覆う側板を備えた共鳴胴と、
前記共鳴胴から延在する棹本体部および該棹本体部の根元側で裏側に向けて屈曲した連結部を備えた棹と、
を有し、
前記側板には、前記棹本体部の延在方向に向けて開口する切り欠きが形成され、
前記共鳴胴の内側には、前記側板において前記切り欠きの両側に位置する第１縁および第２縁のうち、少なくとも第１縁より内側に引っ込んだ位置で前記連結部の前記共鳴胴側に向く端面を受ける受け面を備えた連結用の補強部材が固定されており、
前記受け面にはほぞ穴が形成され、
前記端面には、前記ほぞ穴に嵌るほぞが形成されており、
前記共鳴胴と前記棹とは、前記補強部材と前記連結部との間に設けられた接着剤によって連結されていることを特徴とするアコースティックギター。
【請求項２】
前記補強部材は、前記受け面から前記第１縁まで突出して前記連結部の側面に重なる側壁部を有していることを特徴とする請求項１に記載のアコースティックギター。
【請求項３】
前記切り欠きおよび前記連結部は、前記共鳴胴の裏側まで到達しており、
前記共鳴胴の裏側において、前記連結部の外周面と前記共鳴胴において前記連結部を両側で挟む部分とは連続した曲線を構成していることを特徴とする請求項１または２に記載のアコースティックギター。
【請求項４】
前記共鳴胴の裏側から表側に向かう途中位置までにおいて、前記連結部の外周面と前記共鳴胴において前記連結部を両側で挟む部分とは連続した曲面を構成していることを特徴とする請求項３に記載のアコースティックギター。
【請求項５】
前記補強部材には、前記ほぞ穴として、前記受け面で凹む第１ほぞ穴と、前記補強部材の表側に位置する面で前記受け面に対して直交する方向に延在する溝状の第２ほぞ穴と、が形成され、
前記連結部には、前記端面から突出して前記第１ほぞ穴に嵌る第１ほぞと、前記端面から突出して前記第２ほぞ穴に嵌る第２ほぞと、が形成されていることを特徴とする請求項１乃至４の何れか一項に記載のアコースティックギター。
【請求項６】
前記第２ほぞ穴は、前記第１ほぞ穴と繋がっており、
前記第２ほぞは、前記第１ほぞと繋がっていることを特徴とする請求項５に記載のアコースティックギター。
【発明の詳細な説明】
【技術分野】
【０００１】
本発明は、フォークギター、クラシックギター等、共鳴胴を備えたアコースティックギターに関するものである。
【背景技術】
【０００２】
図６に示すように、アコースティックギター１ｘは、共鳴胴２ｘと、共鳴胴２ｘから延在する棹４ｘとを有しており、棹４ｘの表面には指板５ｘが接着されている。棹４ｘは、共鳴胴２ｘから延在する棹本体部４１ｘと、棹本体部４１ｘの根元側で裏側に向けて屈曲した連結部４２ｘとを備えており、連結部４２ｘが共鳴胴２ｘの外面に固定されることにより、共鳴胴２ｘと棹４ｘとが連結されている。このように構成したアコースティックギター１ｘにおいて、連結部４２ｘは、１４フレット辺りで棹本体部４１ｘの裏側で共鳴胴２ｘから大きく突出した状態にある。このため、演奏者の手指が棹４ｘの根元側に位置する際に連結部４２ｘが邪魔になるため、ハイポジションでの演奏性に問題がある。一方、演奏性の向上を図る目的で共鳴胴２ｘに切り欠きを設けた構成が提案されている（特許文献１参照）。
【先行技術文献】
【特許文献】
【０００３】
【特許文献１】特開平９−２３０８５３号公報
【発明の概要】
【発明が解決しようとする課題】
【０００４】
しかしながら、特許文献１に記載の構成のように、共鳴胴２ｘに切り欠きを設けると、アコースティックギター１ｘとしての意匠性が低下するとともに、切り欠きを設けても、演奏者の手指が棹４ｘの根元側に位置する際に連結部４２ｘが邪魔になることを解消することができない。
【０００５】
以上の問題点に鑑みて、本発明の課題は、ハイポジションでの演奏性、および意匠性を高めることのできるアコースティックギターを提供することにある。
【課題を解決するための手段】
【０００６】
上記の課題を解決するために、本発明のアコースティックギターは、開口部が形成された表甲、該表甲に裏側で対向する裏甲、および前記表甲と前記裏甲との間を覆う側板を備えた共鳴胴と、前記共鳴胴から延在する棹本体部および該棹本体部の根元側で裏側に向けて屈曲した連結部を備えた棹と、を有し、前記側板には、前記棹本体部の延在方向に向けて開口する切り欠きが形成され、前記共鳴胴の内側には、前記側板において前記切り欠きの両側に位置する第１縁および第２縁のうち、少なくとも第１縁より内側に引っ込んだ位置で前記連結部の前記共鳴胴側に向く端面を受ける受け面を備えた連結用の補強部材が固定されており、前記受け面にはほぞ穴が形成され、前記端面には、前記ほぞ穴に嵌るほぞが形成されており、前記共鳴胴と前記棹とは、前記補強部材と前記連結部との間に設けられた接着剤によって連結されていることを特徴とする。
【０００７】
本発明では、共鳴胴と棹とを連結するにあたって、共鳴胴の内側に補強部材を固定し、補強部材の受け面で棹の連結部の端面を受けた状態で補強部材と連結部とを接着剤によって固定する。このため、棹の連結部が共鳴胴の内側に入り込んだ構造となるので、連結部の共鳴胴の側面からの突出を小さくすることができる。従って、ハイポジションでの演奏性、および意匠性を高めることができる。また、補強部材の受け面にほぞ穴（穴）が形成
され、連結部の端面には、ほぞ穴に嵌るほぞ（凸部）が形成されているため、上記の連結構造を採用した場合でも、十分な連結強度を得ることができる。
【０００８】
本発明において、前記補強部材は、前記受け面から前記第１縁まで突出して前記連結部の側面に重なる側壁部を有していることが好ましい。かかる構成によれば、側壁部においても補強部材と連結部とが固定されるので、共鳴胴と棹とを強固に連結することができる。
【０００９】
本発明において、前記切り欠きおよび前記連結部は、前記共鳴胴の裏側まで到達しており、前記共鳴胴の裏側において、前記連結部の外周面と前記共鳴胴において前記連結部を両側で挟む部分とは連続した曲線を構成していることが好ましい。かかる構成によれば、棹の連結部の外周面が胴部の側面と連続した曲線を形成するので、アコースティックギターの意匠性を高めることができる。
【００１０】
本発明では、前記共鳴胴の裏側から表側に向かう途中位置までにおいて、前記連結部の外周面と前記共鳴胴において前記連結部を両側で挟む部分とは連続した曲面を構成していることが好ましい。かかる構成によれば、共鳴胴の側面において裏側に位置する部分では、連結部が共鳴胴の内側に完全に入り込んでおり、連結部が連結部の共鳴胴の側面から突出していない。このため、ハイポジションでの演奏性、および意匠性を高めることができる。
【００１１】
本発明において、前記補強部材には、前記ほぞ穴として、前記受け面で凹む第１ほぞ穴と、前記補強部材の表側に位置する面で前記受け面に対して直交する方向に延在する溝状の第２ほぞ穴と、が形成され、前記連結部には、前記端面から突出して前記第１ほぞ穴に嵌る第１ほぞと、前記端面から突出して前記第２ほぞ穴に嵌る第２ほぞと、が形成されていることが好ましい。かかる構成によれば、共鳴胴と棹との連結強度、および共鳴胴と棹との位置精度を高めることができる。
【００１２】
本発明において、前記第２ほぞ穴は、前記第１ほぞ穴と繋がっており、前記第２ほぞは、前記第１ほぞと繋がっていることが好ましい。かかる構成によれば、ほぞ穴の形成が容易であるとともに、ほぞの強度を高めることができる。
【発明の効果】
【００１３】
本発明では、共鳴胴と棹とを連結するにあたって、共鳴胴の内側に補強部材を固定し、補強部材の受け面で棹の連結部の端面を受けた状態で補強部材と連結部とを接着剤によって固定する。このため、棹の連結部が共鳴胴の内側に入り込んだ構造となるので、連結部の共鳴胴の側面からの突出を小さくすることができる。従って、ハイポジションでの演奏性、および意匠性を高めることができる。また、補強部材の受け面にほぞ穴が形成され、連結部の端面には、ほぞ穴に嵌るほぞが形成されているため、上記の連結構造を採用した場合でも、十分な連結強度を得ることができる。
【図面の簡単な説明】
【００１４】
【図１】本発明を適用したアコースティックギターの斜視図である。
【図２】本発明を適用したアコースティックギターにおける共鳴胴と棹との連結部分等の説明図である。
【図３】本発明を適用したアコースティックギターにおける共鳴胴と棹との連結部分等を棹側からみたときの説明図である。
【図４】本発明を適用したアコースティックギターにおける共鳴胴と棹との連結部分等の詳細構成を示す説明図である。
【図５】本発明の別の実施の形態に係るアコースティックギターを裏側の斜め方向からみたときの斜視図である。
【図６】従来のアコースティックギターの斜視図である。
【発明を実施するための形態】
【００１５】
以下に、図面を参照して、本発明を適用したアコースティックギターを説明する。なお、以下の説明では、棹が延在している方向をＸ方向とし、共鳴胴の幅方向をＹ方向とし、共鳴胴の厚さ方向をＺ方向として説明する。また、Ｘ方向において共鳴胴が位置する側を一方側Ｘ１とし、棹が位置する側を他方側Ｘ２とし、Ｚ方向において裏側を一方側Ｚ１とし、表側を他方側Ｚ２とする。また、Ｙ方向において、アコースティックギターを使用する際に上側を一方側Ｙ１とし、下側を他方側Ｙ２とする。なお、図１および図３では、弦やフレットの図示を省略してある。
【００１６】
（全体構成）
図１は、本発明を適用したアコースティックギター１の斜視図であり、図１（ａ）、（ｂ）は、アコースティックギター１を表側の斜め方向からみたときの斜視図、およびアコースティックギター１を裏側の斜め方向からみたときの斜視図である。図２は、本発明を適用したアコースティックギター１における共鳴胴２と棹４との連結部分１ａ等の説明図であり、図２（ａ）、（ｂ）、（ｃ）は、連結部分１ａを裏側（Ｚ方向の一方側Ｚ１）からみたときの説明図、連結部分１ａを幅方向の一方側（Ｙ方向の一方側Ｙ１）からみたときの説明図、および連結部分１ａを幅方向の他方側（Ｙ方向の他方側Ｙ２）からみたときの説明図である。
【００１７】
図１および図２に示すように、アコースティックギター１は、内部が中空の共鳴胴２と、共鳴胴２から延在する棹４とを有しており、棹４の表側には指板５が接着されている。共鳴胴２は、円形の開口部２１０が形成された表甲２１と、表甲２１に裏側で対向する裏甲２２と、表甲２１と裏甲２２との間を覆う側板２３とを備えている。本形態において、共鳴胴２は、幅方向の両側で内側に湾曲した括れ部分２９ａ、２９ｂと、共鳴胴２と棹４との連結部分１ａに対して幅方向の他方側（Ｙ方向の他方側Ｙ２）で隣り合う位置で内側に湾曲した湾曲部分２９ｃとを有している。このため、表甲２１および表甲２１は、括れ部分２９ａ、２９ｂおよび湾曲部分２９ｃに対応する形状に切断され、側板２３は、括れ部分２９ａ、２９ｂおよび湾曲部分２９ｃに対応する形状に曲げ加工されている。なお、表甲２１において、開口部２１０に対して棹４とは反対側には下駒８が固定され、棹４の先端部にはチューニング装置９が設けられている。
【００１８】
（連結部分１ａの構成）
図３は、本発明を適用したアコースティックギター１における共鳴胴２と棹４との連結部分１ａ等を棹４側（Ｘ方向の他方側Ｘ２）からみたときの説明図であり、図３（ａ）、（ｂ）、（ｃ）、（ｄ）は、連結部分１ａの斜視図、連結部分１ａの分解斜視図、連結部分１ａに用いた連結用の補強部材６の斜視図、および棹４の連結部分１ａ側の斜視図である。図４は、本発明を適用したアコースティックギター１における共鳴胴２と棹４との連結部分１ａ等の詳細構成を示す説明図であり、図４（ａ）、（ｂ）は、連結用の補強部材６をＸ方向の他方側Ｘ２からみたときの斜視図、および棹４の連結部４２をＸ方向の一方側Ｘ１からみたときの斜視図である。
【００１９】
図１〜図４に示すように、本形態のアコースティックギター１では、以下に説明する連結部分１ａが構成されている。まず、棹４は、共鳴胴２から延在する棹本体部４１と、棹本体部４１の根元側の１５フレット辺りで裏側に向けて屈曲した連結部４２とを備えている。棹本体部４１と連結部４２との間に位置する根元部分４３の内側は、共鳴胴２の厚さ方向の途中位置まで湾曲した形状になっており、連結部４２は、共鳴胴２の厚さ方向の途中位置から裏側まで、等しい断面積をもって延在する棒状部分になっている。ここで、連
結部４２は、共鳴胴２の側（Ｘ方向の一方側Ｘ１）に向く端面４４と、幅方向の一方側（Ｙ方向の一方側Ｙ１）の側面４２８とは直交して繋がっており、外周面４２０は、湾曲した形状になっている。このため、連結部４２を裏側からみると、扇形形状になっている。
【００２０】
共鳴胴２において、側板２３は、共鳴胴２と棹４との連結部分１ａで途切れている。このため、側板２３には、共鳴胴２の厚さ方向の全体にわたって開口する切り欠き２３０が形成されており、切り欠き２３０は、側板２３の第１縁２３１と第２縁２３２とに挟まれている。ここで、側板２３は、切り欠き２３０に対して第２縁２３２側（共鳴胴２の幅方向の他方側（Ｙ方向の他方側Ｙ２））で隣接する位置が内側に湾曲した湾曲部分２９ｃになっている。このため、共鳴胴２の幅方向の一方側（Ｙ方向の一方側Ｙ１）の第１縁２３１は、共鳴胴２の幅方向の他方側（Ｙ方向の他方側Ｙ２）の第２縁２３２より外側に位置する。また、裏甲２２には、切り欠き２３０に相当する部分が扇形の切り欠き２２９が形成されている。表甲２１にも、裏甲２２と同様、切り欠き２３０に相当する部分が扇形の切り欠き２１９が形成され、切り欠き２１９は開口部２１０まで延在して開口部２１０と繋がっている。
【００２１】
このように構成した共鳴胴２の内側には、切り欠き２３０の両側に位置する第１縁２３１および第２縁２３２のうち、第１縁２３１より内側に引っ込んだ位置で受け面６２を切り欠き２３０に向けた連結用の補強部材６が固定されている。本形態では、第２縁２３２が第１縁２３１より内側に位置するため、受け面６２は、第１縁２３１より内側に引っ込んだ位置にあるが、第２縁２３２とは重なる位置にある。
【００２２】
また、補強部材６は、受け面６２に対して共鳴胴２の幅方向の一方側（Ｙ方向の一方側Ｙ１）で受け面６２から第１縁２３１に届く位置まで突出した側壁部６１を有している。このため、補強部材６には、側壁部６１と受け面６２とによって棹４の連結部４２が嵌る入角状の凹部６０が形成されている。側壁部６１において棹４側に位置する先端面６１６は側板２３の内面に重なっており、補強部材６のＹ方向の他方側Ｙ２の外側の面６９０は、側板２３の湾曲部分２９ｃに沿って湾曲し、側板２３の内面に重なっている。従って、補強部材６は、側板２３の内面、表甲２１の内面、および裏甲２２の内面に接着されることにより、共鳴胴２の内側に固定されている。
【００２３】
補強部材６の受け面６２には、棹４が延在する側とは反対側に凹むほぞ穴（穴）が形成され、棹４の連結部４２の端面４４には、補強部材６の側に突出して、ほぞ穴に嵌るほぞ（凸部）が形成されている。本形態において、補強部材６には、ほぞ穴として、受け面６２で凹む第１ほぞ穴６３と、補強部材６の表側に位置する面６７で受け面６２に対して直交する方向に延在する溝状の第２ほぞ穴６４とが形成されている。第２ほぞ穴６４は、第１ほぞ穴６３の底面６３０から延在しているため、第１ほぞ穴６３と第２ほぞ穴６４とは繋がっている。
【００２４】
このような補強部材６の構成に対応して、棹４の連結部４２には、ほぞとして、端面４４から突出して第１ほぞ穴６３に嵌る第１ほぞ４５と、端面４４から突出して第２ほぞ穴６４に嵌る第２ほぞ４６とが形成されている。第２ほぞ４６は、棹本体部４１の裏側と繋がっているとともに、第１ほぞ４５とも繋がっている。なお、棹本体部４１の表側には、棹４の反りを矯正するためのトラスロッド（図示せず）を配置するための溝４９が形成されており、かかる溝４９は、第２ほぞ４６の表側にも形成されている。
【００２５】
（連結工程）
このように構成した補強部材６を利用して、共鳴胴２と棹４とを連結するには、共鳴胴２を構成する際、補強部材６を共鳴胴２の内側に接着剤で固定した状態とする。
【００２６】
次に、棹４の連結部４２において補強部材６と重なる箇所、および補強部材６において棹４の連結部４２と重なる箇所の少なくとも一方に接着剤を塗布する。
【００２７】
次に、棹の連結部４２を切り欠き２３０から差し込んで、補強部材６において側壁部６１と受け面６２とによって構成された入角状の凹部６０に棹４の連結部４２を嵌める。その結果、棹４の連結部４２の端面４４は、接着剤を挟んで補強部材６の受け面６２で支持される。また、第１ほぞ４５は、接着剤を間に挟んで第１ほぞ穴６３に嵌り、第２ほぞ４６は、接着剤を間に挟んで第２ほぞ穴６４に嵌る。また、側壁部６１の内側の面６１０は、接着剤を介して連結部４２の側面４２８に重なる。
【００２８】
従って、接着剤を硬化させることにより、棹４の連結部４２と補強部材６とを接着剤により固定でき、棹４と共鳴胴２とを連結することができる。
【００２９】
（本形態の主な効果）
以上説明したように、本形態のアコースティックギター１では、共鳴胴２と棹４とを連結するにあたって、共鳴胴２の内側に補強部材６を固定し、補強部材６の受け面６２で棹４の連結部４２の端面４４を受けた状態で補強部材６と連結部４とを接着剤によって固定する。このため、棹４の連結部４２が共鳴胴２の内側に入り込んだ構造となるので、連結部４２の共鳴胴２の側面（側板２３）からの突出を小さくすることができる。従って、ハイポジションでの演奏性、および意匠性を高めることができる。
【００３０】
特に、本形態では、図２に示すように、連結部４２が共鳴胴２の内側に完全に入り込んでいるため、共鳴胴２の側板２３に形成した切り欠き２３０、および棹４の連結部４２が共鳴胴２の裏側まで到達している場合でも、共鳴胴２の裏側において、連結部４２の外周面４２０と共鳴胴２において連結部を両側で挟む部分とは連続した曲線を構成している。さらに、共鳴胴２の裏側から表側に向かう途中位置までにおいて、連結部４２の外周面４２０と共鳴胴２において連結部４２を両側で挟む部分とは連続した曲面を構成している。このため、ハイポジションでの演奏性、および意匠性を一層、高めることができる。
【００３１】
また、補強部材６の受け面６２にほぞ穴（第１ほぞ穴６３および第２ほぞ穴６４）が形成され、連結部４２の端面４４には、ほぞ穴（第１ほぞ穴６３および第２ほぞ穴６４）に嵌るほぞ（第１ほぞ４５および第２ほぞ４６）が形成されているため、上記の連結構造を採用した場合でも、十分な連結強度を得ることができる。
【００３２】
また、補強部材６は、受け面６２の一方の端から第１縁２３１まで突出して連結部４２の側面４２８に重なる側壁部６１を有している。このため、側壁部６１においても補強部材６と連結部４２とが固定されるので、共鳴胴２と棹４とを強固に連結することができる。
【００３３】
また、第２ほぞ穴６４は第１ほぞ穴６３と繋がっており、第２ほぞ４６は、第１ほぞ４５と繋がっている。このため、第１ほぞ穴６３および第２ほぞ穴６４の形成が容易であるとともに、第１ほぞ４５および第２ほぞ４６の強度を高めることができる。
【００３４】
（本発明の別の実施の形態）
図５は、本発明の別の実施の形態に係るアコースティックギター１を裏側の斜め方向からみたときの斜視図である。
【００３５】
上記実施の形態では、共鳴胴２が、棹４との連結部分１ａに対して幅方向の他方側（Ｙ方向の他方側Ｙ２）で隣り合う位置に内側に湾曲した湾曲部分２９ｃを有していたが、図５に示すように、湾曲部分２９ｃが形成されておらず、共鳴胴２において連結部４２を両
側で挟む部分が略同様な形状を有するアコースティックギター１に本発明を適用してもよい。
【００３６】
この場合、図３等を参照して説明した補強部材６は、側板２３において切り欠き２３０の両側に位置する第１縁２３１および第２縁２３２の双方より内側に引っ込んだ位置で受け面６２が切り欠き２３０に向くように共鳴胴２の内側に固定される。また、補強部材６には、受け面６２の一方の端から第１縁２３１まで突出して連結部４２の一方の側面４２８に重なる側壁部６１が形成されるとともに、受け面６２の他方の端から第２縁２３２まで突出して連結部４２の他方の側面に重なる側壁部が形成される。
【００３７】
このように構成した場合も、連結部４２が共鳴胴２の内側に完全に入り込んでいるため、共鳴胴２の裏側において、連結部４２の外周面４２０と共鳴胴２において連結部を両側で挟む部分とは連続した曲線を構成する。また、共鳴胴２の裏側から表側に向かう途中位置までにおいて、連結部４２の外周面４２０と共鳴胴２において連結部４２を両側で挟む部分とは連続した曲面を構成する。このため、ハイポジションでの演奏性、および意匠性を高めることができる。
【符号の説明】
【００３８】
１・・アコースティックギター
１ａ・・連結部分
２・・共鳴胴
４・・棹
６・・補強部材
２１・・表甲
２２・・裏甲
２３・・側板
４１・・棹本体部
４２・・連結部
４４・・連結部の端面
４５・・第１ほぞ
４６・・第２ほぞ
６１・・側壁部
６２・・受け面
６３・・第１ほぞ穴
６４・・第２ほぞ穴
６７・・補強部材の表側に位置する面
２１０・・開口部
２３０・・側板の切り欠き
２３１・・側板の第１縁
２３２・・側板の第２縁
４２０・・連結部の外周面
４２８・・連結部の側面
６３０・・第１ほぞ穴の底面
【図１】
2015092211.tif 000003
【図２】
2015092211.tif 000004
【図３】
2015092211.tif 000005
【図４】
2015092211.tif 000006
【図５】
2015092211.tif 000007
【図６】
2015092211.tif 000008